(57)【特許請求の範囲】
【請求項１】
合成樹脂の成形品よりなるハンドル本体と、透明合成樹脂の成形品よりなりハンドル本体の前面側に超音波溶着にて被着されるハンドルカバーとを備え、ハンドルカバーは後面側にハンドルカバー自体で化粧模様が形成され、ハンドル本体は、前面が露出面となる突台部と、ハンドルカバーが前面側に被着されるカバー取付部とが並設され、カバー取付部の周部に段部を形成することによりカバー取付部においてハンドルカバーを溶着する部位に段差を設けてなり、ハンドルカバーは、前壁の外周縁から後方に向かって延設された周壁を有し、当該周壁の後縁がカバー取付部の段部の前面に重なる形でカバー取付部に被着されてなり、ハンドルカバーは、前記後面の化粧模様が当該ハンドルカバーの周壁の内側面に跨って形成されてなることを特徴とするピアノハンドル式スイッチに用いるピアノハンドル。
【請求項２】
前記カバー取付部には前記段差を設けた部位に前記ハンドルカバーを超音波溶着にて溶着するための溶着用突起が設けられてなることを特徴とする請求項１記載のピアノハンドル式スイッチに用いるピアノハンドル。
【請求項３】
前記カバー取付部には複数の溶着用突起が前記ハンドルカバーが傾かないように配設してあることを特徴とする請求項２記載のピアノハンドル式スイッチに用いるピアノハンドル。
【請求項４】
前記ハンドルカバーの前面を前記突台部の前面に揃えてなることを特徴とする請求項１ないし請求項３のいずれかに記載のピアノハンドル式スイッチに用いるピアノハンドル。
【請求項５】
前記ハンドル本体には、ピアノハンドル式スイッチの用途に応じた表記がなされたネームカードの前面を露出させるカード取付窓が形成され、前記ハンドルカバーは、前記カード取付窓に対応する部位にレンズ部が一体に設けられ、前記レンズ部の後端部がカード取付窓に嵌合する形状に形成されてなることを特徴とする請求項１ないし請求項４のいずれかに記載のピアノハンドル式スイッチに用いるピアノハンドル。
【請求項６】
請求項１ないし請求項５のいずれか１項に記載のピアノハンドル式スイッチに用いるピアノハンドルの製造方法であって、前記ハンドル本体の前記カバー取付部の前面側に前記ハンドルカバーを被せ、その後、前記ハンドル本体と前記カバー取付部とを超音波溶着にて結合することを特徴とするピアノハンドル式スイッチに用いるピアノハンドルの製造方法。
【発明の詳細な説明】
【０００１】
【発明の属する技術分野】
本発明は、ピアノハンドル式スイッチに用いるピアノハンドルおよびその製造方法に関するものである。
【０００２】
【従来の技術】
従来から、各種のスイッチにおいて、外観を向上させて高級感を得るなどの目的で操作用のハンドル（スイッチ用ハンドル）の前面（操作面）に模様部を設けたものが提供されている。
【０００３】
ハンドルの前面に模様部を設けたスイッチの一例として、押操作可能な押釦ハンドルを有する押釦スイッチよりなるスイッチ本体の前面側に、スイッチ本体に一端部が枢着され後面が押釦ハンドルに対向するピアノハンドルを配置したピアノハンドル式スイッチが提供されている。ピアノハンドルはピアノの鍵盤と同様に一端部を支点として他端部を押し込むことができる構成になっている。また、ピアノハンドル式スイッチは、ピアノハンドルの操作面が押釦ハンドルの操作面よりも大型であって、指以外の部位を用いて押操作することも可能になっており、ピアノハンドルの前面に模様部が設けられている。
【０００４】
この種のピアノハンドル式スイッチとしては、例えば、図３０に示す構成ものが知られている。図３０に示したピアノハンドル式スイッチは、器体の前面側に設けた押釦ハンドル１４の押圧操作により器体内の接点部の切り換えが行われるスイッチ本体１と、スイッチ本体１の前面に対向する形で配設され一端部がスイッチ本体１に枢着されるとともに押釦ハンドル１４を押し込み可能なピアノハンドル２とを備えている。スイッチ本体１の器体は、図３１に示すように、矩形枠状であって器具取付用の窓孔４ａを有した取付枠４に保持されるように構成されている。ここに、取付枠４の前面側には取付枠４の窓孔４ａよりも長寸かつ広幅の開口窓５ａ，６ａを備えるプレート（プレート枠５および化粧プレート６）が重ね合わせて配置される（図３２参照）。なお、取付枠４は器具取付手段としての器具取付孔４ｂを長手方向において３組備えている。
【０００５】
スイッチ本体１の器体は直方体状であって、ともに合成樹脂成形品である前面開口したボディ１１と、ボディ１１の前面側に結合される後面開口したカバー１２とにより形成されている。
【０００６】
スイッチ本体１の器体の短手方向の寸法は、大角連用形（ＪＩＳ  Ｃ８３０４参照）と称する埋込型の配線器具の施工時に用いる取付枠に３個まで取着可能な寸法に形成してある。つまり、上述した取付枠４の窓孔４ａの長手方向の寸法は埋込型の配線器具の施工時に用いる取付枠の窓孔の長手方向の寸法と等しく設定してあり、したがって、スイッチ本体１の器体の短手方向の寸法は取付枠４の窓孔４ａの長手方向の寸法の略３分の１の寸法になる。この寸法は大角連用形の配線器具と同様に、「１個モジュール寸法」と呼ばれている。
【０００７】
一方、スイッチ本体１の器体の長手方向の寸法は窓孔４ａの短手方向の寸法に略等しく、器体の前部を形成するカバー１２の長手方向の各側面には、取付枠４の窓孔４ａを囲む部位に設けた上記器具取付孔４ｂに係合可能な取付爪１３がそれぞれ一対ずつ突設してあり、取付爪１３が器具取付孔４ｂに係合することによって器体が取付枠４に保持されるようにしてある。
【０００８】
ここにおいて、スイッチ本体１の器体のカバー１２の前面側端部には、ピアノハンドル２を枢着するために、斜め前方に突出する一対の軸部１５が一体に突設してある。軸部１５の前端部はカバー１２の短手方向に沿った円柱状に形成されている。ピアノハンドル２の合成樹脂製のハンドル本体２１の後面の一端部には、図３３に示すように、板ばねにより形成された金属製の軸受用ばね体２３ｂをはめ込み用穴２３ａに装着した軸受部２３が設けてある。はめ込み用穴２３ａは内周面の片側に係止穴２３ｅを備え、はめ込み用穴２３ａに収納される軸受用ばね体２３ｂの抜け止め爪２３ｃを係止して軸受用ばね体２３ｂを固持している。軸受用ばね体２３ｂは先端をはめ込み用穴２３ａ内へ突出させるように曲げ形成され、突出部２３ｄとはめ込み用穴２３ａとで軸部１５を保持する。
【０００９】
はめ込み用穴２３ａの開口付近には軸受用ばね体２３ｂの突出部２３ｄが設けてあるから、はめ込み用穴２３ａの内部よりも開口幅が狭く、スイッチ本体１に設けた軸部１５を軸受用ばね体２３ｂのばね力に抗してはめ込み用穴２３ａに弾性的にはめ込むと、軸部１５と軸受部２３とが枢着され、容易には外れないようにしてある。このように軸部１５を軸受部２３に回動自在に嵌め込むことでピアノハンドル２を回動自在に枢着することができる。なお、ピアノハンドル２のハンドル本体２１の他端部には後方に向かって抜け止め用の抜止片２１ａを突設してある。抜止片２１ａはカバー１２の前壁に形成した挿入孔１２ａを通して空所１２ｂ内に挿入され、抜止片２１ａの先端部に設けた係止爪２１ｂが挿入孔１２ａの周縁に係止されることによって、ピアノハンドル２の回動範囲が規制される。なお、挿入孔１２ａは器体の短手方向に３個並んで設けられている。
【００１０】
上記のようにピアノハンドル２がスイッチ本体１に取り付けられることにより、ピアノハンドル２の上記他端部を押操作すると、軸受部２３と軸部１５との枢着部を中心にしてピアノハンドル２が回動する。ピアノハンドル２の後面には一対の操作用リブ（図示せず）が突設されており、ピアノハンドル２を押操作すれば上記操作用リブによってスイッチ本体１に設けた押釦ハンドル１４が器体に押し込まれるのである。
【００１１】
ところで、上述した取付枠４は１個モジュール寸法のスイッチ本体１を３個取り付けることができるものであるから、３個用の取付枠４と呼ばれている。すなわち、取付枠４の窓孔４ａの両側の側片には、スイッチ本体１の取付爪１３が係止される２個１組の器具取付孔４ｂ，４ｂが３組ずつ設けてあり、窓孔４ａ内でスイッチ本体１の取付位置を３箇所選択できるようになっている。ここで、窓孔４ａの長手方向にスイッチ本体１の短手方向を一致させてスイッチ本体１を取付枠４に取り付ける場合の３つの取付位置を、それぞれ上端位置、中央位置、下端位置と呼ぶことにする。また、取付枠４に１個モジュール寸法のスイッチ本体１を１個取り付ける際に用いるピアノハンドル２であって、図３１および図３２に示すようにプレート（プレート枠５および化粧プレート６）の開口窓５ａ，６ａを１個で覆う程度の寸法を有したピアノハンドル２（図３４および図３５参照）を１個用のピアノハンドル２と呼ぶことにする。同様に、３個用の取付枠４に１個モジュール寸法のスイッチ本体１を２個取り付ける際に用いるピアノハンドル２であって、各スイッチ本体１にそれぞれ取り付けられプレートの開口窓５ａ，６ａを２個で覆う程度の寸法を有したピアノハンドル２（図３６参照）を２個用のピアノハンドル２と呼ぶことにし、さらに、３個用の取付枠４に１個モジュール寸法のスイッチ本体１を２個取り付ける際に用いるピアノハンドル２であって、各スイッチ本体１にそれぞれ取り付けられプレートの開口窓５ａ，６ａを３個で覆う程度の寸法を有したピアノハンドル２（図３７参照）を３個用のピアノハンドル２と呼ぶことにする。
【００１２】
上述した３種類のピアノハンドル２の上下方向（スイッチ本体１の短手方向）の寸法の関係は、（１個用のピアノハンドル２の上下寸法）≒（２個用のピアノハンドル２の上下寸法）×２≒（３個用のピアノハンドル２の上下寸法）×３になる。また、上述したようにプレートの開口窓５ａ，６ａは取付枠４の窓孔４ａよりも長寸かつ広幅であり、この窓孔４ａにスイッチ本体１を挿入して取り付けるから、３個用のピアノハンドル２の上下寸法はスイッチ本体１の上下寸法よりも大きくなっている。つまり、いずれのピアノハンドル２も押釦ハンドル１４よりも操作面の面積が大きく、したがって押釦ハンドル１４を押操作するよりもピアノハンドル２を押操作するほうが、操作が容易になっている。
【００１３】
ところで、スイッチ本体１の器体内には発光手段（図示せず）が設けてあり、この発光手段からの光を外部に出すための光透過性樹脂カバーが被着された透光窓１６がカバー１２の軸部１５，１５間に設けられ、ピアノハンドル２には透光窓１６からの光が導光されて発光表示を行う表示部２４が設けられている。したがって、発光手段による発光はピアノハンドル２に設けた表示部２４で視認できるようになっている。発光手段としては、接点部がオンの場合に発光するものと、接点部がオフの場合に発光するものとがある。ここに、スイッチ本体１に設けた発光手段からの光をピアノハンドル２の表示部２４に導光して発光表示するにあたって、ピアノハンドル２には、発光手段の光を表示部２４に導光するためのレンズ２５を設けてある。なお、レンズ２５はピアノハンドル２の後面に固着されている。また、表示部２４は、光透過性樹脂により形成され、ハンドル本体２１において透光窓１６に対応する部位に開口されレンズ２５を臨ませた表示孔２１ｃにハンドル本体２１の前面側から被着されているもので、中央部にレンズ部２４ａが形成されている。
【００１４】
また、上述の１個用のピアノハンドル２は、図３０に示すように、ネームカード２６が取り付けられるようになっている。すなわち、ピアノハンドル２は、ハンドル本体２１の前面側に凹平面２８を設け、該凹平面２８の底にネームカード２６の出し入れ用のカード取付窓２９を設け、このカード取付窓２９にはハンドル本体２１の後面側から開閉自在に枢支された扉２７を設けてある。また、凹平面２８内にはカード取付窓２９に対応して配置されるネームカード２６が見えるように中央部３２ａが透明なネームカバー３２がシート状の接着材を用いて固着されている。なお、ネームカバー３２の後面には複数の突起３２ｂが突設されており、凹平面２８には突起３２ｂを圧入するための圧入用孔２８ａが穿設されている。
【００１５】
上述の扉２７は、一端の両側に軸体２７ａ，２７ａを突設し、この軸体２７ａ，２７ａをカード取付孔２９の一端部の両側に凹平面２８側に開口するように設けた軸受部２８ｂ，２８ｂに回動自在に嵌め込んで、軸体２７ａ，２７ａを中心にカード取付窓２９を開閉できるようになっている。この場合、ネームカバー３２が上述のように固定されることにより軸受部２８ｂ，２８ｂに嵌った軸体２７ａ，２７ａは脱落しないようになっている。
【００１６】
そして、扉２７の他端部の両側には突起２７ｂ，２７ｂが設けられ、この突起２７ｂ，２７ｂはカード取付窓２９の他端部の両側に形成した係合部２８ｃ，２８ｃに圧入係合して閉じた状態を保持するようになっている。しかして、ネームカード２６を収納する場合には扉２７を開いてネームカード２６をカード取付窓２９に嵌めてネームカバー３２の後面に載せ、この状態で扉２７を閉じれば扉２７とネームカバー３２との間にネームカード２６が挟持され、ネームカバー３２の中央部３２ａより前面側からネームカード２６の文字、数字、記号などの表記が視認できることになる。
【００１７】
なお、上述した取付枠４は壁面のような施工面に対して３種類の取付方法が選択可能となるように構成してある。すなわち、取付枠４の上片および下片には壁に埋込配設された埋込ボックスの開口側に設けた取付舌片に螺合するボックスねじを挿通するための長孔４ｃが形成されている。また、施工面が木質壁などの場合には施工面に螺入するねじを用いて取付枠４を直付けする場合があるから、直付け用のねじを挿通するためのねじ挿通孔４ｄも上片と下片とに形成されている。さらに、上片および下片には、施工面が石膏ボードのようなパネル材であるときに使用するはさみ金具（図示せず）の一端部を係止するはさみ金具取付孔４ｅと、プレート枠５を取り付ける取付ねじ７を螺合させる取付ねじ孔４ｆとが設けてある。
【００１８】
取付枠４の前面側に取付ねじ７によって取り付けられるプレート枠５は、ＡＢＳ樹脂のような合成樹脂によって矩形枠状に形成された成形品であって、上片と下片とにそれぞれ取付ねじ７が挿通されるねじ挿通孔５ｂが設けてある。また、プレート枠５の左片および右片にはそれぞれ化粧プレート６の係止片（図示せず）が挿入係止される係止孔５ｃがそれぞれ３個ずつ設けてある。
【００１９】
プレート枠５に結合される化粧プレート６は、プレート枠５と同様にＡＢＳ樹脂のような合成樹脂によって矩形枠状に形成されている。また、化粧プレート６の後面にはプレート枠５に結合するための上記係止片が６本突設されている。
【００２０】
スイッチ本体１を取り付けた取付枠４に取付ねじ７によってプレート枠５を取り付け、さらに化粧プレート６をプレート枠５に結合するとともに、スイッチ本体１にピアノハンドル２を取り付けると、プレート枠５および化粧プレート６の中央部の開口窓５ａ，６ａを通してピアノハンドル２の一部をプレートの前方に突出させることができ、この状態でピアノハンドル２を押操作することができることになる。
【００２１】
ところで、上述のピアノハンドル２では、成形時に成形金型へデザイン用のインク層が裏面に形成されたフィルムを入れることでデザイン用のインク層が前面にインモールド転写されたネームカバー３２が用いられている。ここにおいて、ネームカバー３２の前面には上記インク層によって多数の化粧ライン３３ａからなる模様部３３が形成されている。なお、ネームカバー３２は、後面側に配設されるネームカード２６の表記が外部から見えるように中央部３２ａが透明材料により形成されており、中央部３２ａおよび周部を除いた部位に多数の化粧ライン３３ａがストライプ状に配列された模様部３３が形成されている。
【００２２】
上述のピアノハンドル式スイッチでは、ネームカバー３２の前面に模様部３３が設けられているので、ピアノハンドル２の外観が向上し高級感が得られるという利点を有している。
【００２３】
また、近年では、図３８ないし図４０に示すような１個用のピアノハンドル２、図４１に示すような２個用のピアノハンドル２、図４２に示すような３個用のピアノハンドル２も提供されている。これらのピアノハンドル２の前面における模様部３３の各化粧ライン３３ａは、ピアノハンドル２のハンドル本体２１の前面に実質的に凹凸が形成されない程度に、ハンドル本体２１を構成する合成樹脂成形品にレーザビームを照射して炭化反応させて、他の部分と色差が生じるように発色させることによって形成されている。ここに、ハンドル本体２１は、着色材を含有した合成樹脂材料により形成されている。なお、図３８〜図４２に示したピアノハンドル２の模様部３３の形成位置は、上述のインモールド転写により形成した模様部３３と同様にレイアウトされている。
【００２４】
図３８ないし図４２に示したピアノハンドル２のハンドル本体２１は、軸受部２３を設けている一端部における上下方向の中央部であってスイッチ本体１の透光窓１６に対応する部位に表示孔２１ｃが開口されており、表示孔２１ｃにはピアノハンドル２の後面側からレンズ２５の前端部が嵌め込んである。ここに、レンズ２５は発光手段からの光をピアノハンドル２の前面側に導くように形成された透明合成樹脂の成形品であり、ハンドル本体２１に固着され、レンズ２５の前端部が表示部を構成している。
【００２５】
ピアノハンドル２のハンドル本体２１の上下方向の中央部であって表示孔２１ｃよりも上記他端部側にはカード取付窓２９が貫設されている。カード取付窓２９は透明合成樹脂の成形品であるネームカバー３２で覆われる。ネームカバー３２は、図４０および図４３に示すように、ピアノハンドル２の後面側に開閉する扉２７とともにカード取付ブロックを構成しており、ネームカバー３２においてカード取付窓２９を覆う部位と扉２７との間に、ネームカード２６を保持することができるようになっている。
【００２６】
図４１に示した２個用のピアノハンドル２は上下寸法が図３８に示した１個用のピアノハンドル２と異なるが、他の構成は１個用のピアノハンドル２と同様である。
【００２７】
これに対して図４２に示した３個用のピアノハンドル２は上下寸法以外にも相違する点がある。以下、この点について説明する。取付枠４の取付窓４ａに３個のスイッチ本体１を取り付ける場合には、上述の上端位置と中央位置と下端位置とにそれぞれスイッチ本体１を取り付け、各スイッチ本体１にそれぞれ３個用のピアノハンドル２を取り付ける。３個用のピアノハンドル２の後面の一端部には４個の軸受部２３がスイッチ本体１の軸部１５に対応する一定間隔で設けられる。また、上２個の軸受部２３と下２個の軸受部とに対応する軸受用ばね体２３ｂはそれぞれ一体に形成されている。つまり、４個の軸受部２３に対して軸受用ばね体２３ｂを２部材で実現してある。また、３個用のピアノハンドル２では抜止片２１ａはピアノハンドル２の上下方向の中央付近に１個ずつ設けられる。
【００２８】
取付枠４に３個のスイッチ本体１を並設した場合、中央位置のスイッチ本体１に取り付けるピアノハンドル２は、中央の２個の軸受部２３にスイッチ本体１の軸部１５をはめ込んで取り付ける。つまり、中央位置のスイッチ本体１についてはスイッチ本体１の上下方向の中心とピアノハンドル２の上下方向の中心とが一致する。また、ピアノハンドル２の抜止片２１ａはスイッチ本体１の中央の挿入孔１２ａに挿入される。一方、上端位置のスイッチ本体１に取り付けられるピアノハンドル２は、下側の２個の軸受部２３にスイッチ本体１の軸部１５をはめ込んで取り付ける。つまり、上端位置についてはスイッチ本体１の上下方向の中心よりもピアノハンドル２の上下方向の中心が上にずれて位置することになり、ピアノハンドル２の抜止片２１ａはスイッチ本体１の上の挿入孔１２ａに挿入される。また、下端位置のスイッチ本体１に取り付けられるピアノハンドル２は、上側の２個の軸受部２３にスイッチ本体１の軸部１５をはめ込んで取り付ける。つまり、下端位置についてはスイッチ本体１の上下方向の中心よりもピアノハンドル２の上下方向の中心が下にずれて位置することになり、ピアノハンドル２の抜止片２１ａはスイッチ本体１の下の挿入孔１２ａに挿入される。
【００２９】
以上の説明からわかるように、取付枠４に３個のスイッチ本体１を取り付ける場合には、上端位置と下端位置とにおいて、スイッチ本体１の上下方向の中心がピアノハンドル２の上下方向の中心に一致しない。そこで、３個用のピアノハンドル２では、表示孔２１ｃに嵌め込んだ表示部２４の後面側に光学的に結合されるプリズムよりなるレンズ２５を設けてある。レンズ２５は、ピアノハンドル２の後面側で表示孔２１ｃよりも上下方向に広がる形状に形成され、透光窓１６の位置が表示孔２１ｃに対して上下にずれている場合でも、発光手段からの光を表示部２５に導く形状に形成されている。このように、３個用のピアノハンドル２では、上端位置および下端位置において、上下方向の中心位置がスイッチ本体１の上下方向の中心位置とはずれるが、ピアノハンドル２に設けたレンズ２５の機能によって発光手段の光を表示孔２１ｃの位置に導くことができる。また、ピアノハンドル２に４個の軸受部２３を設け、かつスイッチ本体１に３個の挿入孔１２ａを形成していることによって、３個用のピアノハンドル２についても、上端位置、中央位置、下端位置を区別することなく共通の部材を用いることができる。
【００３０】
【発明が解決しようとする課題】
ところで、上述のようにインモールド転写により模様部３３を形成したネームカバー３２を備えたピアノハンドル２では、転写用フィルムのコストが高く、しかも、ネームカバー３２の成形に専用の成形機が必要で成形コストが高いので、低コスト化が難しいという不具合があった。また、ネームカバー３２の前面が頻繁に手で触れる場所であるにもかかわらずネームカバー３２の前面に化粧ライン３３ａが転写されているので、化粧ライン３３ａの耐久性が十分でないという不具合があった。
【００３１】
一方、図３８〜図４２に示したようなピアノハンドル２では、ハンドル本体２１の前面にレーザビームを照射して炭化反応させて発色させることで化粧ライン３３ａを形成しているので、転写用フィルムが不要になるとともに成形に伴うコストの削減を図ることができるという利点がある。また、レーザビームを照射することにより形成される化粧ライン３３ａは、インモールド転写により形成される化粧ライン３３ａの位置精度に比べて精度が高いので良品率が高くなるから、製造コストを低減でき、低コスト化を図ることができるという利点がある。
【００３２】
しかしながら、図３８〜図４２に示したピアノハンドル２では、上述の着色材を含有した成形材料を使用する必要があり、使用材料が限られ、使用材料毎に化粧ライン３３ａの色品質を確保し且つ化粧ライン３３ａに起因した面粗さを小さくするためにレーザビームの照射条件を変更する必要が生じコストが高くなるという不具合や、高級感が得られにくく先に述べたピアノハンドル２と比べると安価に見えるという不具合があった。
【００３３】
本発明は上記事由に鑑みて為されたものであり、その目的は、低コストで外観を向上できるピアノハンドル式スイッチに用いるピアノハンドルおよびその製造方法を提供することにある。
【００３４】
【課題を解決するための手段】
請求項１の発明は、上記目的を達成するために、合成樹脂の成形品よりなるハンドル本体と、透明合成樹脂の成形品よりなりハンドル本体の前面側に超音波溶着にて被着されるハンドルカバーとを備え、ハンドルカバーは後面側にハンドルカバー自体で化粧模様が形成され、ハンドル本体は、前面が露出面となる突台部と、ハンドルカバーが前面側に被着されるカバー取付部とが並設され、カバー取付部の周部に段部を形成することによりカバー取付部においてハンドルカバーを溶着する部位に段差を設けてなることを特徴とするものであり、ハンドルカバーの後面側にハンドルカバー自体で形成されている化粧模様をハンドルカバーの前方から視認できるので低コストで外観を向上でき、しかも、カバー取付部にハンドルカバーを溶着する際に溶けた部分がハンドルカバーの外側にはみだすことを防止することが可能となる。また、請求項１の発明は、カバー取付部の周部に段部を形成することによりカバー取付部においてハンドルカバーを溶着する部位に段差を設けてなり、ハンドルカバーは、前壁の外周縁から後方に向かって延設された周壁を有し、当該周壁の後縁がカバー取付部の段部の前面に重なる形でカバー取付部に被着されてなり、ハンドルカバーは、前記後面の化粧模様が当該ハンドルカバーの周壁の内側面に跨って形成されているので、スイッチ本体の施工面に沿った方向からも化粧模様を視認でき、しかも、化粧プレートの開口窓内に配置された状態において、ピアノハンドルと化粧プレートとの境界を明確にすることができ、ピアノハンドルと化粧プレートとの間に別の部材が挟まっているように見えて違和感が生じる恐れを少なくすることができる。
【００３５】
請求項２の発明は、請求項１の発明において、前記カバー取付部には前記段差を設けた部位に前記ハンドルカバーを超音波溶着にて溶着するための溶着用突起が設けられているので、前記溶着用突起が溶けた際に外側にはみだすのを防止することが可能となる。
【００３６】
請求項３の発明は、請求項２の発明において、前記カバー取付部には複数の溶着用突起が前記ハンドルカバーが傾かないように配設してあるので、溶着時に前記ハンドルカバーが傾くのを抑制することができ前記各溶着用突起を均一に溶かすことが可能となり、前記ハンドル本体に対する前記ハンドルカバーのがたつきを防止することができる。
【００３７】
請求項４の発明は、請求項１ないし請求項３の発明において、前記ハンドルカバーの前面を前記突台部の前面に揃えてあるので、前記ハンドル本体の前記突台部の前面と前記ハンドルカバーの前面との間に段差が形成されて外観が損なわれるのを防止することができるとともに、手触りが良くなる。
【００３８】
請求項５の発明は、請求項１ないし請求項４の発明において、前記ハンドル本体には、ピアノハンドル式スイッチの用途に応じた表記がなされたネームカードの前面を露出させるカード取付窓が形成され、前記ハンドルカバーは、前記カード取付窓に対応する部位にレンズ部が一体に設けられ、前記レンズ部の後端部がカード取付窓に嵌合する形状に形成されているので、前記ハンドルカバーを前記ハンドル本体に超音波溶着する際に前記ハンドル本体に対する前記ハンドルカバーの位置決めが容易になるとともに位置ずれを規制することができ、外観を向上できる。
【００３９】
請求項６の発明は、請求項１ないし請求項５のいずれか１項に記載のピアノハンドル式スイッチに用いるピアノハンドルの製造方法であって、前記ハンドル本体の前記カバー取付部の前面側に前記ハンドルカバーを被せ、その後、前記ハンドル本体と前記カバー取付部とを超音波溶着にて結合するので、低コストで外観を向上したピアノハンドルを提供することができる。
【００４０】
【発明の実施の形態】
以下の各実施形態では、スイッチ用ハンドルとして、従来の技術で説明したスイッチ本体１（図３０参照）の押釦ハンドル１４（図３０参照）の前面に対向する形で配設され一端部がスイッチ本体１に枢着して用いられるピアノハンドルを説明する。
【００４１】
（実施形態１）
以下、本実施形態のピアノハンドル２について図１ないし図１２を参照しながら説明する。
【００４２】
本実施形態のピアノハンドル２は、１個用のピアノハンドル２であって、図１ないし図５に示すように、外周形状が矩形状に形成された合成樹脂（例えば、ＡＢＳ樹脂など）の成形品よりなるハンドル本体２１と、透明合成樹脂（例えば、アクリル樹脂など）の成形品よりなりハンドル本体２１の前面側に被着されるハンドルカバー２２とを備えている。以下では従来例と同様、上述の３個用の取付枠４（図６、図７、図３１参照）の窓孔４ａ内に配置される場合に窓孔４ａの長手方向に沿った方向をピアノハンドル２の上下方向として説明する。
【００４３】
ハンドルカバー２２はハンドル本体２１に上下方向を揃えた形でハンドル本体２１の前面側に被着されるものであり、ハンドルカバー２２の上下方向の寸法はハンドル本体２１の上下方向の寸法に略等しく、ハンドルカバー２２の左右方向の寸法はハンドル本体２１の左右方向の寸法よりも短くなっており、ハンドル本体２１の上記一端部の前面とハンドルカバー２２の前面とを揃えてある（略面一としてある）。なお、上記従来例と同様の構成要素には同一の符号を付して説明を適宜省略する。また、本実施形態のピアノハンドルの外周形状は従来例で説明した１個用のピアノハンドル２と同じ形状に形成されており、化粧プレート６の開口窓６ａを１個で塞ぐことができるようになっている。
【００４４】
ハンドル本体２１の上記一端部の後面に設けられる軸受部２３（図２参照）は、上記従来例と同様、スイッチ本体１に設けた一対の軸部１５に対応するように上下方向の中央部付近に２つ設けられており、ハンドル本体２１の各軸受部２３に取り付けられる軸受用ばね体２３ｂは連続した１部材で形成されている。ピアノハンドル２は、ハンドル本体２１の２つの軸受部２３にスイッチ本体１の２つの軸部１５を嵌め込むことにより、スイッチ本体１の上下方向の中心と１個用のピアノハンドル２の上下方向の中心とが一致するように取り付けられる。また、ピアノハンドル２の他端部の後面には上下方向の中央部付近に２本の抜止片２１ａが突設され、各抜止片２１ａはスイッチ本体１の上下の挿入孔１２ａに挿入される。
【００４５】
ピアノハンドル２のハンドル本体２１は、軸受部２３を設けている一端部における上下方向の中央部であってスイッチ本体１の透光窓１６に対応する部位に表示孔２１ｃが開口されており、表示孔２１ｃにはピアノハンドル２の後面側からレンズ２５の一部が嵌め込んである。ここに、レンズ２５は発光手段からの光をピアノハンドル２の前面側に導くように形成された透明合成樹脂の成形品のレンズであり、ハンドル本体２１の後面側からハンドル本体２１に固着され、レンズ２５の前端部が表示部を構成している。
【００４６】
ところで、ハンドル本体２１は、図８に示すように、上記一端部に前面が縦長の矩形状の露出面となる突台部２１ｄを設けてあり、突台部２１ｄの右側にハンドルカバー２２が被着される外周形状が矩形状のカバー取付部２１ｅを形成してある。ここに、カバー取付部２１ｅの外周形状は突台部２１ｄの外周形状よりも幅広に形成されており、突台部２１とカバー取付部２１ｅとを合わせた外周形状がハンドル本体２１の外周形状となっている。カバー取付部２１ｅの周部には突台部２１側の中央部を除いて段部２１ｆが形成されている。したがって、カバー取付部２１ｅの周部には段差が設けられていることになる。
【００４７】
ハンドルカバー２２は、前壁２２ａの外周縁から後方に向かって延設された周壁２２ｂを備え、ハンドル本体２１のカバー取付部２１ｅにハンドルカバー２２を被せたときに周壁２２ｂの後縁がカバー取付部２１ｅの段部２１ｆの前面に重なるようにしてある。ここで、ハンドルカバー２２の周壁２２ｂには、カバー取付部２１ｅの周部において段部２１ｆの形成されていない部位が嵌合する切欠部２２ｇ（図９参照）が形成されている。なお、ハンドルカバー２２は、周壁２２ｂにおける切欠部２２ｇの前側に成形用金型のゲート跡Ｇ（図９参照）が形成されるように成形用金型を設計してあり、ハンドルカバー２２をハンドル本体２１に結合した状態ではゲート跡Ｇが前方から見えにくくなっている。
【００４８】
一方、ハンドル本体２１はハンドルカバー２２を超音波溶着するために、図８に示すように、段部２１ｆの前面に複数（本実施形態では、８つ）の溶着用突起２１ｇを連続一体に設けてある（つまり、溶着用突起２１ｇはカバー取付部２１ｅにおいて段差を設けた部位に形成されている）。溶着用突起２１ｇは、図８（ｃ），（ｄ）に示すように、カバー取付部２１ｅの外周からやや離れて設けられ、外周から離れるほど突出量が徐々に大きくなる断面三角形状に形成されている。なお、溶着用突起２１ｇは、カバー取付部２１ｅの左右両側で４つずつ上下方向に離間して設けてある。ここに、上下方向における各溶着用突起２１ｇの形成位置は左右両側で揃えてある。
【００４９】
したがって、ハンドル本体２１にハンドルカバー２２を被着する場合には、ハンドルカバー２２をハンドル本体２１のカバー取付部２１ｅに被せてカバー取付部２１ｅの段部２１ｆの前面にハンドルカバー２２の周壁２２ｂの後縁を対向させ各溶着用突起２１ｇに当接させた状態で超音波ホーンを押し当て溶着用突起２１ｇを超音波により溶融させてハンドル本体２１とハンドルカバー２１とを超音波溶着すればよいのである。
【００５０】
ここにおいて、ハンドル本体２１のカバー取付部２１ｅの上下方向の中央部にはカード取付窓２９が開口され、ハンドルカバー２２の上下方向の中央部には後端部がカード取付窓２９に嵌合するように後面から後方へ突出したカードカバー部２２ｄが一体に形成されているので、ハンドルカバー２２のカードカバー部２２ｄの後端部をカード取付窓２９に嵌合することでハンドル本体２１への位置決めを行うことができて上下左右への位置ずれが規制され、溶着用突起２１ｇの溶けた溶着部２１ｇ’（図１（ｃ），（ｄ）参照）が外側にはみ出しにくくなり、溶着部２１ｇ’により外観が損なわれるのを防止することができる。
【００５１】
しかも、ハンドル本体２１は、上下方向における各溶着用突起２１ｇの形成位置が左右両側で揃えてあるので、ハンドルカバー２２の溶着時にハンドルカバー２２が左右で傾くのを防止することができ、各溶着用突起２１ｇが略均一に溶けることになり、ハンドル本体２１へのハンドルカバー２２の結合強度を高めることができる。したがって、ハンドル本体２１に超音波溶着により結合したハンドルカバー２２のがたつきを防止することができる。なお、溶着用突起２１ｇはカバー取付部２１ｅの４隅近傍に加えて、長手方向（上下方向）の中間部に設けることが望ましく、本実施形態では、溶着用突起２１ｇを８箇所に設けてある。
【００５２】
また、ハンドル本体２１の突台部２１ｄとハンドルカバー２２との互いの対向面の間には、図３（ｂ）に示すように、両面間の距離を前後方向の中間部よりもやや大きくする傾斜面が前後方向の前側で突台部２１に形成されるとともに後側でハンドルカバー２２に形成されており、上記対向面の間に微小な隙間が形成されているので、溶着用突起２１ｇが溶けた際に溶着部２１ｇ’（図１（ｃ）参照）が突台部２１およびハンドルカバー２２の各前面にはみ出すことを防止することができ、外観を向上できる。また、図３（ｃ）に示すように、ハンドル本体２１の他端部側ではハンドルカバー２２の周壁２２ｂの後部には後縁および側面が開放された切欠部２２ｆが形成されており、ハンドルカバー２２の周壁２２ｂの後縁とハンドル本体２１のカバー取付部２１ｅにおける段部２１ｆの前面との互いの対向面の間に微小な隙間が形成されているので、溶着用突起２１ｇが溶けた際に溶着部２１ｇ’（図１（ｄ）参照）がハンドルカバー２１の周壁２２の外面やハンドル本体２１の側縁にはみ出すことを防止することができ、外観を向上できる。
【００５３】
ところで、上述のように、ハンドル本体２１のカバー取付部２１ｅの上下方向の中央部に、スイッチ本体１を用いる回路に関連した名称（負荷名や場所名）を表記したネームカード２６の前面を見えるようにする矩形状のカード取付窓２９が貫設されている。ここにおいて、ネームカード２６は、透明合成樹脂の成形品であるハンドルカバー２２の中央部に一体に形成されたカードカバー部２２ｄと、カバー取付部２１ｅの後面側に開閉自在に枢支された扉２７との間に保持されるようになっている。
【００５４】
扉２７は、図２および図５に示すように、一端部の両側に軸体２７ａ，２７ａを突設し、この軸体２７ａ，２７ａをハンドル本体２１の後面においてカード取付窓２９の一端部の両側にやや離れて設けられた軸受部２１ｊ，２１ｊに回動自在に嵌め込んで軸体２７ａ，２７ａを中心にカード取付窓２９を開閉できるようになっている。また、扉２７の他端部の両側には突起２７ｂ，２７ｂが設けられ、この突起２７ｂ，２７ｂはハンドル本体２１の後面においてカード取付窓２９の他端部の両側に設けられた係合部２１ｋ，２１ｋに係合して閉じた状態を保持するようになっている。
【００５５】
したがって、例えば制御対象となる負荷名（「換気扇」等）あるいは制御対象となる負荷の場所名（「台所」、「玄関」、「廊下」等）をネームカード２６に表記し、このネームカード２６をピアノハンドル２に取り付けておけば、カードカバー部２２ｄを通してネームカード２６の表記内容を視認することができ、ピアノハンドル２の操作時に負荷名や場所名を区別することができて便利である。また、ネームカード２６はピアノハンドル２に着脱可能であるから、必要に応じて交換することができる。なお、カードカバー部２２ｄは、後面が平面状であって前面がハンドルカバー２２の前面に沿った曲面状に形成されているが、図１３に示すように、後面をネームカード２６側に凸となる曲面状に形成すれば、カードカバー部２２ｄがネームカード２６を拡大して見せるレンズとしての機能を有することになり、ネームカード２６が拡大されて見え、ネームカード２６の表記の確認が容易になる。なお、図１３に示す構成では、カードカバー部２２ｄがレンズ部を構成する。
【００５６】
ハンドルカバー２２の前面におけるカードカバー部２２ｄの右側（ピアノハンドル２の他端部の上下方向の中央位置）には、押位置指示突起２２ｅが突設され、ピアノハンドル２に押力を作用させるべき端部が押位置指示突起２２ｅ側であることが示されている。したがって、ピアノハンドル２に押力を作用させるべき端部が押位置指示突起２２ｅ側であることが明確に示され、また、手触りでも分かるようになる。ここにおいて、ピアノハンドル２は、ハンドル本体２１の後面に格子状のリブ２１ｈと、格子状のリブ２１ｈに斜めに交差する複数のリブ２１ｉとをそれぞれ一体に突設することでハンドル本体２１の剛性を向上させてあり、ピアノハンドル２の押位置指示突起２２ｅ側の端部を押しても操作できるようになっている。
【００５７】
ところで、本実施形態のピアノハンドル２におけるハンドルカバー２２は、図９ないし図１２に示すように、当該ハンドルカバー２２の後面にハンドルカバー２２自体で化粧模様２２ｃが形成されている。言い換えれば、ハンドルカバー２２の後面側に化粧模様２２ｃが一体に形成されている。ここにおいて、化粧模様２２ｃは、ハンドルカバー２２の後面おいてカードカバー部２２ｄを除いた部位に設けられ、ハンドルカバー２２の後面に形成した波状の凹凸形状からなり、ハンドルカバー２２は透明合成樹脂の成形品よりなるので、ハンドルカバー２２の後面の化粧模様２２ｃはハンドルカバー２２の前方から見るとストライプ状の模様として見える。すなわち、例えば化粧模様２２ｃを形成する波状の凹凸形状の山の部分がハンドルカバー２２の前方からは左右方向に走る多数の直線が上下方向に配列されているように見える。
【００５８】
しかして、本実施形態では、ハンドル本体２１およびハンドルカバー２２をそれぞれ一般的な成形材料で安価に製作でき、しかもハンドルカバー２２の前面に化粧模様２２ｃに起因した凹凸が形成されることもないので、低コストで外観を向上できる。なお、ハンドル本体２１の他端部側では、ハンドルカバー２２の後面の化粧模様２２ｃがハンドルカバー２２の周壁２２ｂの内側面にも形成されているので、施工面に沿った方向からも化粧模様２２ｃを視認できる（つまり、視野角を広げることができる）。
【００５９】
また、上記従来構成の１個用のピアノハンドル２では、プレート（プレート枠５および化粧プレート６）の開口窓内に配置された状態において、模様部３３と化粧プレート６との間にピアノハンドル２における模様部３３以外の部分の前面が見えることになるので、ピアノハンドル２と化粧プレート６との間に別の部材が挟まっているように見え、違和感を生じる恐れがあるが、本実施形態のピアノハンドル２では、ハンドル本体２１の前面側に被着されるハンドルカバー２２の外周の３辺が化粧プレート６の開口窓６ａの内周縁に対向し上述のように化粧模様２２ｃがハンドルカバー２２の周壁２２ｂの内側面にも形成されているので、ピアノハンドル２と化粧プレート６との境界を明確にすることができ、違和感が生じる恐れを少なくすることができる。なお、ハンドルカバー２２の後面には、カードカバー部２２ｄを除いた全面に化粧模様２２ｃが形成されている。
【００６０】
また、ハンドルカバー２２の後面側にはカードカバー部２２ｄを除いた全体にわたってシボ加工が施されており（図１０中の破線の斜線を施した部分はシボ加工が施されている部分を示している）、ハンドルカバー２２およびハンドル本体２１での光の反射が抑制され見栄えを良くすることができる。
【００６１】
また、本実施形態では、ハンドルカバー２２を有色の透明合成樹脂の成形品により構成してあり、ハンドルカバー２２の色を適宜選択することによりデザイン性を高めることができるとともに、施工時に壁面などの色との調和を図ることが可能になる。
【００６２】
（実施形態２）
本実施形態のピアノハンドル２の基本構成は実施形態１と略同じであって、図１４ないし図２１に示すように、ハンドル本体２１とハンドル本体２１の前面側に被着されたハンドルカバー２２とを備え、化粧プレート６の開口窓６ａを２個で塞ぐ大きさに形成された２個用のピアノハンドルであって、上下方向の寸法が実施形態１の１個用のピアノハンドル２の上下方向の寸法の略２分の１に形成されている点が相違する。すなわち、本実施形態のピアノハンドル２の外周形状は従来構成で説明した２個用のピアノハンドル２と同じ形状に形成されており、ハンドル本体２１およびハンドルカバー２２の各上下方向の寸法が実施形態１におけるハンドル本体２１およびハンドルカバー２２それぞれの上下方向の略半分の寸法に形成されている。なお、図２１中の破線の斜線を施した部分はシボ加工が施されている部分を示している。他の構成は実施形態１と同様であるから、実施形態１と同様の構成要素には同一の符号を付して説明を省略する。
【００６３】
（実施形態３）
本実施形態のピアノハンドル２の基本構成は実施形態１と略同じであって、図２２ないし図２９に示すように、ハンドル本体２１とハンドル本体２１の前面側に被着されたハンドルカバー２２とを備え、化粧プレート６の開口窓６ａを３個で塞ぐ大きさに形成された３個用のピアノハンドルであって、上下方向の寸法が実施形態１の１個用のピアノハンドル２の上下方向の寸法の３分の１に形成されている点が相違する。すなわち、本実施形態のピアノハンドル２の外周形状は従来構成で説明した３個用のピアノハンドル２と同じ形状に形成されており、ハンドル本体２１およびハンドルカバー２２の各上下方向の寸法が実施形態１におけるハンドル本体２１およびハンドルカバー２２それぞれの上下方向の３分の１の寸法に形成されている。なお、図２９中の破線の斜線を施した部分はシボ加工が施されている部分を示している。他の構成は実施形態１と同様であるから、実施形態１と同様の構成要素には同一の符号を付して説明を省略する。
【００６４】
これに対して３個用のピアノハンドル２は１個用のピアノハンドル２と比べて上下寸法以外にも相違する点がある。以下、この点について説明する。取付枠４の取付窓４ａに３個のスイッチ本体１を取り付ける場合には、上述の上端位置と中央位置と下端位置とにそれぞれスイッチ本体１を取り付け、各スイッチ本体１にそれぞれ３個用のピアノハンドル２を取り付ける。３個用のピアノハンドル２の後面の一端部には４個の軸受部２３がスイッチ本体１の軸部１５に対応する一定間隔で設けられる。また、上２個の軸受部２３と下２個の軸受部２３とに対応する軸受用ばね体２３ｂはそれぞれ一体に形成されている。つまり、４個の軸受部２３に対して軸受用ばね体２３ｂを２部材で実現してある。また、３個用のピアノハンドル２では抜止片２１ａはピアノハンドル２の上下方向の中央付近に１個ずつ設けられる。
【００６５】
取付枠４に３個のスイッチ本体１を並設した場合、中央位置のスイッチ本体１に取り付けるピアノハンドル２は、中央の２個の軸受部２３にスイッチ本体１の軸部１５をはめ込んで取り付ける。つまり、中央位置のスイッチ本体１についてはスイッチ本体１の上下方向の中心とピアノハンドル２の上下方向の中心とが一致する。また、ピアノハンドル２の抜止片２１ａはスイッチ本体１の中央の挿入孔１２ａに挿入される。一方、上端位置のスイッチ本体１に取り付けられるピアノハンドル２は、下側の２個の軸受部２３にスイッチ本体１の軸部１５をはめ込んで取り付ける。つまり、上端位置についてはスイッチ本体１の上下方向の中心よりもピアノハンドル２の上下方向の中心が上にずれて位置することになり、ピアノハンドル２の抜止片２１ａはスイッチ本体１の上の挿入孔１２ａに挿入される。また、下端位置のスイッチ本体１に取り付けられるピアノハンドル２は、上側の２個の軸受部２３にスイッチ本体１の軸部１５をはめ込んで取り付ける。つまり、下端位置についてはスイッチ本体１の上下方向の中心よりもピアノハンドル２の上下方向の中心が下にずれて位置することになり、ピアノハンドル２の抜止片２１ａはスイッチ本体１の下の挿入孔１２ａに挿入される。
【００６６】
以上の説明からわかるように、取付枠２に３個のスイッチ本体１を取り付ける場合には、上端位置と下端位置とにおいて、スイッチ本体１の上下方向の中心がピアノハンドル２の上下方向の中心に一致しない。そこで、３個用のピアノハンドル２では、表示部２４の後面側に光学的に結合されるプリズムよりなるレンズ２５を設けてある。レンズ２５は、ピアノハンドル２の後面側で表示孔２１ｃよりも上下方向に広がる形状に形成され、透光窓１６の位置が表示孔２１ｃに対して上下にずれている場合でも、発光手段からの光をレンズ２５に導く形状に形成されている。このように、３個用のピアノハンドル２では、上端位置および下端位置において、上下方向の中心位置がスイッチ本体１の上下方向の中心位置とはずれるが、ピアノハンドル２に設けたレンズ２５の機能によって発光手段の光を表示孔２１ｃの位置に導くことができる。また、ピアノハンドル２に４個の軸受部２３を設け、かつスイッチ本体１に３個の挿入孔１２ａを形成していることによって、３個用のピアノハンドル２についても、上端位置、中央位置、下端位置を区別することなく共通の部材を用いることができる。
【００６７】
【発明の効果】
請求項１の発明は、合成樹脂の成形品よりなるハンドル本体と、透明合成樹脂の成形品よりなりハンドル本体の前面側に超音波溶着にて被着されるハンドルカバーとを備え、ハンドルカバーは後面側にハンドルカバー自体で化粧模様が形成され、ハンドル本体は、前面が露出面となる突台部と、ハンドルカバーが前面側に被着されるカバー取付部とが並設され、カバー取付部の周部に段部を形成することによりカバー取付部においてハンドルカバーを溶着する部位に段差を設けてなるものであり、ハンドルカバーの後面側にハンドルカバー自体で形成されている化粧模様をハンドルカバーの前方から視認できるので低コストで外観を向上できるという効果があり、しかも、カバー取付部にハンドルカバーを溶着する際に溶けた部分がハンドルカバーの外側にはみだすことを防止することが可能となるという効果がある。また、請求項１の発明は、カバー取付部の周部に段部を形成することによりカバー取付部においてハンドルカバーを溶着する部位に段差を設けてなり、ハンドルカバーは、前壁の外周縁から後方に向かって延設された周壁を有し、当該周壁の後縁がカバー取付部の段部の前面に重なる形でカバー取付部に被着されてなり、ハンドルカバーは、前記後面の化粧模様が当該ハンドルカバーの周壁の内側面に跨って形成されているので、スイッチ本体の施工面に沿った方向からも化粧模様を視認でき、しかも、化粧プレートの開口窓内に配置された状態において、ピアノハンドルと化粧プレートとの境界を明確にすることができ、ピアノハンドルと化粧プレートとの間に別の部材が挟まっているように見えて違和感が生じる恐れを少なくすることができる。
【００６８】
請求項２の発明は、請求項１の発明において、前記カバー取付部には前記段差を設けた部位に前記ハンドルカバーを超音波溶着にて溶着するための溶着用突起が設けられているので、前記溶着用突起が溶けた際に外側にはみだすのを防止することが可能となるという効果がある。
【００６９】
請求項３の発明は、請求項２の発明において、前記カバー取付部には複数の溶着用突起が前記ハンドルカバーが傾かないように配設してあるので、溶着時に前記ハンドルカバーが傾くのを抑制することができ前記各溶着用突起を均一に溶かすことが可能となり、前記ハンドル本体に対する前記ハンドルカバーのがたつきを防止することができるという効果がある。
【００７０】
請求項４の発明は、請求項１ないし請求項３の発明において、前記ハンドルカバーの前面を前記突台部の前面に揃えてあるので、前記ハンドル本体の前記突台部の前面と前記ハンドルカバーの前面との間に段差が形成されて外観が損なわれるのを防止することができるとともに、手触りが良くなるという効果がある。
【００７１】
請求項５の発明は、請求項１ないし請求項４の発明において、前記ハンドル本体には、ピアノハンドル式スイッチの用途に応じた表記がなされたネームカードの前面を露出させるカード取付窓が形成され、前記ハンドルカバーは、前記カード取付窓に対応する部位にレンズ部が一体に設けられ、前記レンズ部の後端部がカード取付窓に嵌合する形状に形成されているので、前記ハンドルカバーを前記ハンドル本体に超音波溶着する際に前記ハンドル本体に対する前記ハンドルカバーの位置決めが容易になるとともに位置ずれを規制することができ、外観を向上できるという効果がある。
【００７２】
請求項６の発明は、請求項１ないし請求項５のいずれか１項に記載のピアノハンドル式スイッチに用いるピアノハンドルの製造方法であって、前記ハンドル本体の前記カバー取付部の前面側に前記ハンドルカバーを被せ、その後、前記ハンドル本体と前記カバー取付部とを超音波溶着にて結合するので、低コストで外観を向上したピアノハンドルを提供することができるという効果がある。
【図面の簡単な説明】
【図１】実施形態１における１個用のピアノハンドルを示し、（ａ）は正面図、（ｂ）は一部破断した右側面図、（ｃ）は要部説明図、（ｄ）は他の要部説明図である。
【図２】同上における１個用のピアノハンドルの背面図である。
【図３】同上における１個用のピアノハンドルを示し、（ａ）は下面図、（ｂ）は（ａ）の要部Ｂの拡大図、（ｃ）は（ａ）の要部Ｃの拡大図である。
【図４】同上における１個用のピアノハンドルの断面図である。
【図５】同上における１個用のピアノハンドルの分解斜視図である。
【図６】同上における１個用のピアノハンドルの使用形態における右側面図である。
【図７】同上における１個用のピアノハンドルのスイッチ本体への取付方の説明図である。
【図８】同上における１個用のピアノハンドルのハンドル本体を示し、（ａ）は正面図、（ｂ）は下面図、（ｃ）は（ｂ）の要部Ｄの拡大図、（ｄ）は（ｂ）の要部Ｅの拡大図である。
【図９】同上における１個用のピアノハンドルのハンドルカバーを示し、（ａ）は正面図、（ｂ）は左側面図、（ｃ）は一部破断した右側面図である。
【図１０】同上における１個用のピアノハンドルのハンドルカバーの背面図である。
【図１１】同上における１個用のピアノハンドルのハンドルカバーを示し、（ａ）は下面図、（ｂ）は（ａ）の要部Ｆの拡大図である。
【図１２】同上における１個用のピアノハンドルのハンドルカバーの断面図である。
【図１３】同上における１個用のピアノハンドルの他の構成例を示す断面図である。
【図１４】実施形態２における２個用のピアノハンドルの使用形態における正面図である。
【図１５】同上における２個用のピアノハンドルを示し、（ａ）は正面図、（ｂ）は背面図、（ｃ）は右側面図である。
【図１６】同上における２個用のピアノハンドルの下面図である。
【図１７】同上における２個用のピアノハンドルの断面図である。
【図１８】同上における２個用のピアノハンドルの分解斜視図である。
【図１９】同上における２個用のピアノハンドルのハンドル本体を示し、（ａ）は正面図、（ｂ）は下面図である。
【図２０】同上における２個用のピアノハンドルのハンドルカバーを示し、（ａ）は正面図、（ｂ）は左側面図、（ｃ）は一部破断した右側面図、（ｄ）は断面図である。
【図２１】同上における２個用のピアノハンドルのハンドルカバーの背面図である。
【図２２】実施形態３における３個用のピアノハンドルの使用形態における正面図である。
【図２３】同上における３個用のピアノハンドルを示し、（ａ）は正面図、（ｂ）は背面図、（ｃ）は右側面である。
【図２４】同上における３個用のピアノハンドルの下面図である。
【図２５】同上における３個用のピアノハンドルの断面図である。
【図２６】同上における３個用のピアノハンドルの分解斜視図である。
【図２７】同上における３個用のピアノハンドルのハンドル本体を示し、（ａ）は正面図、（ｂ）は下面図である。
【図２８】同上における３個用のピアノハンドルのハンドルカバーを示し、（ａ）は正面図、（ｂ）は左側面図、（ｃ）は一部破断した右側面図、（ｅ）は断面図である。
【図２９】同上における３個用のピアノハンドルのハンドルカバーの背面図である。
【図３０】従来例を示し、１個用のピアノハンドルを備えたピアノハンドル式スイッチの分解斜視図である。
【図３１】同上で１個用のピアノハンドルを用いる使用形態での分解斜視図である。
【図３２】同上で１個用のピアノハンドルを用いる使用形態での正面図である。
【図３３】同上の軸部近傍を示し、（ａ）はピアノハンドル取付前の断面図、（ｂ）はピアノハンドル取付後の断面図である。
【図３４】同上に用いる１個用のピアノハンドルの正面図である。
【図３５】同上に用いる１個用のピアノハンドルの背面図である。
【図３６】同上に用いる２個用のピアノハンドルの正面図である。
【図３７】同上に用いる３個用のピアノハンドルの正面図である。
【図３８】同上に用いる他の１個用のピアノハンドルの分解斜視図である。
【図３９】同上に用いる他の１個用のピアノハンドルの背面側から見た斜視図である。
【図４０】同上に用いる他の１個用のピアノハンドルの分解斜視図である。
【図４１】同上に用いる他の２個用のピアノハンドルの分解斜視図である。
【図４２】同上に用いる他の２個用のピアノハンドルの分解斜視図である。
【図４３】同上に用いる他の１個用のピアノハンドルにおけるカード取付ブロックの分解斜視図である。
【符号の説明】
２  ピアノハンドル
２１  ハンドル本体
２１ｄ  突台部
２１ｅ  カバー取付部
２１ｆ  段部
２２  ハンドルカバー
２２ａ  前壁
２２ｂ  周壁
２２ｃ  化粧模様
【図１】
0003948308.tif 000002
【図２】
0003948308.tif 000003
【図３】
0003948308.tif 000004
【図４】
0003948308.tif 000005
【図５】
0003948308.tif 000006
【図６】
0003948308.tif 000007
【図７】
0003948308.tif 000008
【図８】
0003948308.tif 000009
【図９】
0003948308.tif 000010
【図１０】
0003948308.tif 000011
【図１１】
0003948308.tif 000012
【図１２】
0003948308.tif 000013
【図１３】
0003948308.tif 000014
【図１４】
0003948308.tif 000015
【図１５】
0003948308.tif 000016
【図１６】
0003948308.tif 000017
【図１７】
0003948308.tif 000018
【図１８】
0003948308.tif 000019
【図１９】
0003948308.tif 000020
【図２０】
0003948308.tif 000021
【図２１】
0003948308.tif 000022
【図２２】
0003948308.tif 000023
【図２３】
0003948308.tif 000024
【図２４】
0003948308.tif 000025
【図２５】
0003948308.tif 000026
【図２６】
0003948308.tif 000027
【図２７】
0003948308.tif 000028
【図２８】
0003948308.tif 000029
【図２９】
0003948308.tif 000030
【図３０】
0003948308.tif 000031
【図３１】
0003948308.tif 000032
【図３２】
0003948308.tif 000033
【図３３】
0003948308.tif 000034
【図３４】
0003948308.tif 000035
【図３５】
0003948308.tif 000036
【図３６】
0003948308.tif 000037
【図３７】
0003948308.tif 000038
【図３８】
0003948308.tif 000039
【図３９】
0003948308.tif 000040
【図４０】
0003948308.tif 000041
【図４１】
0003948308.tif 000042
【図４２】
0003948308.tif 000043
【図４３】
0003948308.tif 000044